(57)【特許請求の範囲】
【請求項１】
一方向に沿って定間隔に配列された収容ポケット１１の列が平行に複数形成され、前記収容ポケット１１の列相互の中間に溝状の凹条１２が形成されたＰＴＰシート１と、
前記各収容ポケット１１を封止するように前記ＰＴＰシート１の上面にラミネートされた箔状の蓋シート２とからなり、
前記蓋シート２には、前記凹条１２の両側方において前記一方向に沿う縦破断線２３と、当該縦破断線２３を始端又は終端として前記一方向と交差しかつ前記各列の収容ポケット１１相互の中間を通る横破断線２４とを、それぞれ形成したことを特徴とする、
ＰＴＰ包装体。
【請求項２】
前記縦破断線２３及び前記横破断線２４は、スリット状に切り込まれていることを特徴とする、請求項１に記載のＰＴＰ包装体。
【請求項３】
前記ＰＴＰシート１には、前記縦破断線２３と一致する縦ミシン目１３を形成したことを特徴とする、請求項１に記載のＰＴＰ包装体。
【請求項４】
一方向に沿って定間隔に配列された収容ポケット１１の列が平行に複数形成され、前記収容ポケット１１の列相互の中間に溝状の凹条１２が形成されたＰＴＰシート１と、
前記各収容ポケット１１を封止するように前記ＰＴＰシート１の上面にラミネートされた箔状の蓋シート２とからなり、
前記ＰＴＰシート１と前記蓋シート２には、前記凹条１２の両側方において前記各収容ポケット１１と対応する位置に、前記一方向に沿い前記ＰＴＰシート１が破断しない程度に切り込まれた縦破断線２５を形成するとともに、前記縦破断線２５が途切れた部分を始端又は終端として前記一方向と交差しかつ前記各列の収容ポケット１１相互の中間を通る横ミシン目２６を形成したことを特徴とする、ＰＴＰ包装体。
【発明の詳細な説明】
【０００１】
【発明の属する技術分野】
この発明は、ＰＴＰ (Press Through Pack) 包装体に関するものであり、さらに具体的には、包装された錠剤，カプセル剤等の内容物を外側から押して取り出すことができる包装体において、この包装体の長さ方向に強度を持たせるように工夫したＰＴＰ包装体に関するものである。
【０００２】
【従来の技術】
従来、長方形のＰＴＰ包装体は柔らかく、その長さ方向に対する強度がほとんどないため、取り扱いにくいものだった。
例えば、図５（Ａ），（Ｂ）に示すように、長さ方向に対する強度を持たせたＰＴＰ包装体はプラスチック製のＰＴＰシート１と箔状の蓋シート２とから構成されている。
ＰＴＰシート１には一方向（ＰＴＰ包装体の長さ方向）に沿って定間隔に配列された収容ポケット１１の列が平行に形成され、収容ポケット１１の列相互の中間に溝状の凹条１２が形成されている。ＰＴＰシート１には、収容ポケット１１を封止するように当該ＰＴＰシート１の上面に蓋シート２がラミネートされている。
ＰＴＰシート１と蓋シート２には、各収容ポケット１１を区分しかつ破断可能なミシン目状の縦破断線２３と横破断線２４とが形成されている。この縦破断線２３は収容ポケット１１の列相互の中間へ形成され、横破断線２４は前記縦破断線２３と交差しかつ各列の収容ポケット１１相互の中間を通るように形成されている。
このＰＴＰ包装体は、ＰＴＰシート１へ前記凹条１２を形成することにより、当該ＰＴＰ包装体の長さ方向に対する強度を得ようとするものである。
【０００３】
【発明が解決しようとする課題】
前述のＰＴＰ包装体では、縦破断線２３と横破断線２４とが交差する部分において横破断線２４が凹条１２を横断し、この横断位置で凹条１２が折れやすくなる。そのため、凹条１２を設けてもＰＴＰ包装体の長さ方向に対する十分な強度を得ることができない。
【０００４】
また、前述のＰＴＰ包装体では、ＰＴＰシート１と蓋シート２とにおいて縦破断線２３と横破断線２４とが設けられ、各収容ポケット１１ごとに破断することができるが、収容された内容物を押し出さずに誤ってそのまま飲み込んでしまうおそれがある。そのため、各収容ポケット１１ごとに破断できないように前記各破断線２３，２４を設けないことが考えられる。
しかしながら、一の収容ポケット１１から内容物を押し出す際に蓋シート２の一部が破れ、周囲の収容ポケット１１を封止する蓋シート２もつづいて破れてしまうことがある。そのため、蓋シート２が各収容ポケット１１ごとに破断できるように、各収容ポケット１１相互間に前記各破断線２３，２４を設ける必要がある。
さらに、蓋シート２を押し破ることができないほど柔らかい内容物が包装されている場合には、当該蓋シート２を剥がして各収容ポケット１１から内容物を取り出すために前記各破断線２３，２４が必要である。
この発明の目的は、破断線を設けても凹条によるＰＴＰ包装体の長さ方向の強度が損なわれないＰＴＰ包装体を提供することにある。
この発明の他の目的は、破断線を設けても誤飲を防止することができるＰＴＰ包装体を提供することにある。
【０００５】
【課題を解決するための手段】
請求項１に記載の発明によれば、一方向に沿って定間隔に配列された収容ポケット１１の列が平行に複数形成され、前記収容ポケット１１の列相互の中間に溝状の凹条１２が形成されたＰＴＰシート１と、
前記各収容ポケット１１を封止するように前記ＰＴＰシート１の上面にラミネートされた箔状の蓋シート２とからなり、
前記蓋シート２には、前記凹条１２の両側方において前記一方向に沿う縦破断線２３と、当該縦破断線２３を始端又は終端として前記一方向と交差しかつ前記各列の収容ポケット１１相互の中間を通る横破断線２４とを、それぞれ形成したことを特徴としている。
【０００６】
請求項２に記載の発明によれば、請求項１に記載のＰＴＰ包装体において、前記縦破断線２３及び前記横破断線２４は、スリット状に切り込まれていることを特徴としている。
【０００７】
請求項３に記載の発明によれば、請求項１に記載のＰＴＰ包装体において、前記ＰＴＰシート１には、前記縦破断線２３と一致する縦ミシン目１３を形成したことを特徴としている。
【０００８】
請求項４に記載の発明によれば、一方向に沿って定間隔に配列された収容ポケット１１の列が平行に複数形成され、前記収容ポケット１１の列相互の中間に溝状の凹条１２が形成されたＰＴＰシート１と、
前記各収容ポケット１１を封止するように前記ＰＴＰシート１の上面にラミネートされた箔状の蓋シート２とからなり、
前記ＰＴＰシート１と前記蓋シート２には、前記凹条１２の両側方において前記各収容ポケット１１と対応する位置に、前記一方向に沿い前記ＰＴＰシート１が破断しない程度に切り込まれた縦破断線２５を形成するとともに、前記縦破断線２５が途切れた部分を始端又は終端として前記一方向と交差しかつ前記各列の収容ポケット１１相互の中間を通る横ミシン目２６を形成したことを特徴としている。
【０００９】
【発明の実施の形態】
以下図面を参照しながら、この発明によるＰＴＰ包装体の好ましい実施形態を説明する。
【００１０】
第１実施形態
図１はこの発明に係るＰＴＰ包装体の第１実施形態を示す斜視図であり、図２は図１のＰＴＰ包装体における蓋シートを示した平面図である
なお、以下の説明において、従来のＰＴＰ包装体と同じ構成部分については、同じ符号を付してそれらの説明は省略する。
【００１１】
この実施形態のＰＴＰ包装体は、一方向（ＰＴＰ包装体の長さ方向）に沿って配列された収容ポケット１１の列と凹条１２とが形成されたＰＴＰシート１と、蓋シート２とから構成されている。
蓋シート２には凹条１２の両側方に前記長さ方向に沿うスリット状の縦破断線２３が切り込まれ、当該縦破断線２３を始端又は終端として前記一方向と交差しかつ収容ポケット１１相互の中間を通るスリット状の横破断線目２４が切り込まれている。
蓋シート２の長さ方向に沿う両縁部には、ＰＴＰシート１にラミネートされない剥離部２７，２７が設けられている。
【００１２】
この実施形態のＰＴＰ包装体によれば、蓋シート２には凹条１２を避けるようにして横破断線２４が切り込まれているので、当該横破断線２４が凹条１２を横断することがない。したがって、横破断線２４を設けても凹条１２により得られたＰＴＰ包装体の長さ方向に対する強度が損なわれない。
また、この実施形態のＰＴＰ包装体によれば、縦破断線２３と横破断線２４とは蓋シート２へのみ切り込まれているので、各収容ポケット１１ごとに破断されることがない。したがって、各破断線２３，２４を設けても内容物を取り出さずにそのまま飲み込んでしまうおそれがない。
【００１３】
第２実施形態
図３に示すこの実施形態のＰＴＰシート１には、蓋シート２とラミネートした状態において、前述の縦破断線２３と一致するように縦ミシン目１３が切り込まれている。
【００１４】
この実施形態のＰＴＰ包装体によれば、ＰＴＰシート１には縦破断線２３と一致する縦ミシン目１３が形成されているので、収容ポケット１１を当該収容ポケット１１の列単位で破断することができる。したがって、ＰＴＰ包装体を取り扱う際に便利である。
また、この実施形態のＰＴＰ包装体によれば、縦ミシン目１３に沿って破断された収容ポケット１１の列はそのまま飲み込める大きさではないので、ＰＴＰシート１に縦ミシン目１３を設けても、内容物を取り出さずにそのまま飲み込んでしまうことがない。
【００１５】
この実施形態におけるＰＴＰ包装体のその他の構成や作用，効果は、第１実施形態のＰＴＰ包装体と同様なので、それらの説明は省略する。
【００１６】
第３実施形態
図４に示すこの実施形態のＰＴＰシート１と蓋シート２には、凹条１２の両側方において各収容ポケット１１と対応する位置に、ＰＴＰ包装体の長さ方向に沿って当該ＰＴＰシート１が破断しない程度に縦破断線２５が切り込まれ、この縦破断線２５が途切れた部分を始端又は終端として前記長さ方向と交差しかつ各列の収容ポケット１１相互の中間を通る横ミシン目２６が切り込まれている。
【００１７】
この実施形態のＰＴＰ包装体によれば、ＰＴＰシート１と蓋シート２には縦破断線２５と横ミシン目２６とが形成されているので、ＰＴＰシート１と蓋シート２とに縦破断線２５及び横ミシン目２６を同時に切り込むことができる。したがって、縦破断線２５と横ミシン目２６を切り込む作業に手間がかからない。
また、この実施形態のＰＴＰ包装体によれば、縦破断線２５は破断しない程度に切り込まれているので、縦破断線２５と横ミシン目２６を設けても内容物を取り出さずにそのまま飲み込んでしまうおそれがない。
【００１８】
この実施形態におけるＰＴＰ包装体のその他の構成や作用，効果は、第１実施形態のＰＴＰ包装体と同様なので、それらの説明は省略する。
【００１９】
その他の実施形態
第１実施形態にける縦破断線２３及び横破断線２４はスリット状に切り込まれているが、当該縦破断線２３及び横破断線２４はミシン目状に切り込まれていても差し支えない。
【００２０】
【発明の効果】
請求項１，２に記載の発明によれば、第１に、蓋シート２には凹条１２を避けるようにして横破断線２４が形成されているので、横破断線２４が凹条を横断することがない。したがって、横破断線２４を設けても凹条１２によるＰＴＰ包装体の長さ方向に対する強度が損なわれない。
第２に、縦破断線２３と横破断線２４は蓋シート２へのみ形成されているので、各収容ポケット１１ごとに破断されることがない。したがって、各破断線２３，２４を設けても、内容物が包装されたまま誤って飲み込んでしまうおそれがない。
【００２１】
請求項３に記載の発明によれば、第１に、ＰＴＰシート１に縦破断線２３と一致する縦ミシン目１３が形成されているので、収容ポケット１１の列ごとに破断することができ、ＰＴＰ包装体を取り扱うのに便利である。
第２に、縦ミシン目１３に沿って破断された収容ポケット１１の列はそのまま飲み込める大きさではないので、ＰＴＰシート１に縦ミシン目１３を設けても内容物が包装されたまま誤って飲み込んでしまうおそれがない。
【００２２】
請求項４に記載の発明によれば、第１に、ＰＴＰシート１と蓋シート２には縦破断線２５と横ミシン目２６とが形成されているので、ＰＴＰシート１に蓋シート２をラミネートしてから縦破断線２５と横ミシン目２６を切り込むことが可能であり、縦破断線２５と横ミシン目２６の切り込み作業に手間がかからない。
第２に、縦破断線２５は破断しない程度に切り込まれているので、ＰＴＰシート１と蓋シート２のそれぞれに縦破断線２５と横ミシン目２６を設けても内容物が包装されたまま誤って飲み込んでしまうおそれがない。
【図面の簡単な説明】
【図１】この発明に係るＰＴＰ包装体の第１実施形態を示す斜視図である。
【図２】図１のＰＴＰ包装体における蓋シートを示す平面図である。
【図３】この発明に係るＰＴＰ包装体の第２実施形態におけるＰＴＰシートを示す平面図である。
【図４】この発明に係るＰＴＰ包装体の第３実施形態を示す平面図である。
【図５】従来のＰＴＰ包装体を示す図であり、（Ａ）図は平面図，（Ｂ）図は（Ａ）図の矢印Ｄ−Ｄに沿って従来のＰＴＰ包装体を切断して示す断面図である。
【符号の説明】
１  ＰＴＰシート
１１  収容ポケット
１２  凹条
１３  縦ミシン目
２  蓋シート
２３，２５  縦破断線
２４  横破断線
２６  横ミシン目
２７  剥離部
【図１】
0004056628.tif 000002
【図２】
0004056628.tif 000003
【図３】
0004056628.tif 000004
【図４】
0004056628.tif 000005
【図５】
0004056628.tif 000006